(57)【要約】【課題】  蓋や食品の収容部分をできるだけ大きくして容器や内容物のボリューム感を豊かにして見栄えを良くし、商品価値を高めるとともに  隣同士が接触しても蓋が外れる恐れがない包装用容器を提供する。【解決手段】  容器本体の外側に周側枠を配置し、容器本体の口縁の２カ所以上に嵌合用起立部を設け、該嵌合用起立部の外側面で容器本体と蓋とが嵌合する構造とし、容器本体の口縁の嵌合部を設けていない部分には、前記嵌合部の起立部よりも周側枠側に口縁立上部を有し、前記蓋の外周部には、閉蓋状態で前記周側枠の上端面と前記容器本体の嵌合用起立部及び容器本体の口縁立上部に当接する外周底部を有し、かつ、蓋の外周部の嵌合部を除く部分には、閉蓋状態で前記容器本体の口縁部の内側に位置し、該口縁部の頂上よりも低くなるような内側底部を有する包装用容器とする。【選択図】              図１
2005263283.tif 000002
【特許請求の範囲】
【請求項１】
容器本体と周側枠及び蓋からなる包装用容器であって、容器本体の外側に周側枠を配置し、容器本体の口縁の少なくとも２カ所以上に嵌合用起立部を有する嵌合部を設け、該嵌合用起立部の外側面で容器本体と蓋とが嵌合する構造とし、容器本体の口縁の嵌合部を設けていない部分には、前記嵌合部の起立部よりも周側枠側に口縁立上部を有し、前記蓋の外周部には、閉蓋状態で前記周側枠の上端面と前記容器本体の嵌合用起立部及び容器本体の口縁立上部に当接する外周底部を有し、かつ、蓋の外周部の嵌合部を除く部分には、閉蓋状態で前記容器本体の口縁立上部の内側に位置し、該口縁立上部の頂上よりも低くなるような内側底部を有することを特徴とする包装用容器。
【請求項２】
前記嵌合用起立部は嵌合用起立部外側面と嵌合用起立部内側面の２面の立上り面からなり、該嵌合用起立部外側面には容器内側に窪んだ容器係止部を有し、一方、蓋の外周部の嵌合部に対応する位置には、内垂下部と外垂下部の２面の垂下面からなり、該内垂下部には容器内側に突出する蓋係止部を有し、てなることを特徴とする請求項１に記載の包装用容器。
【請求項３】
前記周側枠の高さが少なくとも容器本体の口縁部の高さと同等もしくは高いことを特徴とする請求項１または請求項２に記載の包装用容器。
【請求項４】
前記蓋の外周部最外部の平端部が、周側枠上端面より外側にはみ出ないように構成されてなることを特徴とする請求項１から請求項３のいずれか１項に記載の包装用容器。
【請求項５】
前記蓋の外周部先端が、ジイグザグに形成されてなることを特徴とする請求項１から請求項４のいずれか１項に記載の包装用容器。
【請求項６】
前記蓋の外周部最外部の平端部に、上下に凹凸を有する波形加工もしくはエンボス加工が施されてなることを特徴とする請求項１から請求項５のいずれか１項に記載の包装用容器。
【発明の詳細な説明】
【技術分野】
【０００１】
本発明は、食品等の収容に好適な包装用容器の構造に関するものである。
【背景技術】
【０００２】
従来から弁当や惣菜等の食品を収容する容器として、プラスチック製の容器本体と蓋を組み合わせた包装用容器が広く普及している。これらの包装用容器においては、内容物である食品の衛生面での清潔さを維持する機能の充実は勿論のこと、商品としての見栄えの良さも重要な具備品質となっている。
例えば、発泡プラスチック板からなる周側枠の内側に、食品等の収容部を有する容器本体を配置し、透明な蓋体で覆う弁当用などの容器が普及している。この容器では周側枠を設けているので、容器本体と蓋体のみのものよりも見栄えが良く、商品価値を高めている。また、電子レンジ用の容器とする場合にも、内容物が高温になって蓋を開ける時などに
、手で持っても周側枠の断熱性のためにやけどの危険が少ないという利点がある。
【０００３】
これらの容器の一例として、図１１に示すような周側枠の内側に設けた容器本体とその内側で嵌合装着される蓋体とからなる包装用容器が提案されている（例えば、特許文献１参照。）。
この包装用容器４０は、外枠となる周側枠３０と、食品等を収容する容器本体４１と、蓋４２とにより構成されている。周側枠３０は、やや厚みのある板状体を方形に構成したものであり、この周側枠３０の内側に容器本体４１を設けている。容器本体４１の口縁４３の外縁部分を、周側枠３０の内壁に設けた凹部３３に嵌入して周側枠３０と容器本体４１とを一体化している。
口縁４３の外周部分は、容器の口部となる水平部分４３ａと、この水平部分４３ａの外側から下方へ連続する垂下部分４３ｂとによって構成されている。この垂下部分４３ｂの端部は、周側枠３０の全周にわたって形成された断面コ字状の溝からなる凹部３３内に挿入されており、周側枠３０と容器本体４１とは、使用時に一体に取り扱われるものである。周側枠３０の外面には、模様等の装飾を施すことも可能である。
【０００４】
さらに、容器本体４１の口縁４３の内側部分には、内垂下部分４３ｄを設けているとともに、この内垂下部分４３ｄの中間部分には容器の内側に向けて凸部４３ｅが形成されている。内垂下部分４３ｄの下端は、蓋４２を支承するための支承部が形成されている。蓋４２の周縁には、容器本体４１の支承部４３ｆへの当接部となる折返し端部４２ｂと、当接部の外側に設けた起立部分からなる先端部４２ａとから略上向きコ字状の折返し形状に形成されている。閉蓋状態では、折返し端部４２ｂが容器本体４１の支承部４３ｆに支持さるとともに、先端部４２ａは、容器本体４１の凸部４３ｅに係止されることにより、蓋４２は容器本体４１に対して嵌合状態となって閉蓋状態が確実に維持される。
【０００５】
また、別の例として、例えば図１２に示すような容器本体５１の先端部から下方に伸びた延長部の先端６１を周側枠３０と熱融合させた包装用容器５０が提案されている（例えば、特許文献２参照。）。この包装用容器では前記延長部の外面に容器本体の嵌合部５７を設け、容器本体５１及び周側枠３０を覆う蓋５２の外周部５４には蓋嵌合部を設け、この蓋嵌合部と前記容器本体の嵌合部５７とで容器本体５１と蓋５２とを系止して閉蓋状態を維持するようにしている。図において５９，６０は熱遮断用の空間である。この包装用容器は、電子レンジ加熱に適した食品用簡易容器とされている。
【特許文献１】登録実用新案第３０６０６１１号公報
【特許文献２】特開２００２−５９９５２号公報
【発明の開示】
【発明が解決しようとする課題】
【０００６】
ところで前記特許文献１に開示された図１１に示すような包装用容器では、蓋が容器本体の内側で嵌合するため蓋が小さくなり、容器や内容物のボリューム感が乏しくなるという欠点がある。
また、前記特許文献２に開示された図１２に示すような食品用簡易容器では、蓋が周側枠を覆う構造になっており、蓋の周縁部が周側枠からはみ出して外周方向に出っ張っているため、陳列した際に隣同士の蓋の外周部が互いに接触して、蓋が外れる恐れがある。また、周側枠を容器本体よりも低くしているので、見栄えも良いものではない。
さらに、蓋の縁（耳）がストレートに裁断したままだと蓋を開閉する際に指先にケガを負ったり、包装フィルムを使用してラッピングする際に包装フィルムが裂断したり、蓋自身が裂断するという問題があった。
【０００７】
本発明は上記欠点を改良するためになされたものであって、蓋や食品の収容部分をできるだけ大きくして容器や内容物のボリューム感を豊かにし、見栄えを良くして商品価値を高めるような包装用容器を提供しようとするものである。また、陳列する際に、隣同士が接触しても蓋が外れる恐れがない包装用容器を提供しようとするものである。  
さらに、蓋の外周を安全で丈夫な構造にした包装用容器を提供しようとするものである。
【課題を解決するための手段】
【０００８】
上記課題を解決するために本発明の包装用容器は、容器本体の外側に周側枠を配置し、容器本体の口縁の少なくとも２カ所以上に嵌合用起立部を有する嵌合部を設け、該嵌合用起立部の外側面で容器本体と蓋とが嵌合する構造とし、容器本体の口縁の嵌合部を設けていない部分には、前記嵌合部の起立部よりも周側枠側に口縁立上部を有し、前記蓋の外周部には、閉蓋状態で前記周側枠の上端面と前記容器本体の嵌合用起立部及び容器本体の口縁立上部に当接する外周底部を有し、かつ、蓋の外周部の嵌合部を除く部分には、閉蓋状態で前記容器本体の口縁立上部の内側に位置し、該口縁立上部の頂上よりも低くなるような内側平坦部を有する包装用容器とした。
このように容器本体の口縁の嵌合部を設けていない部分に、前記嵌合部の起立部よりも周側枠側に口縁立上部を設けることにより内容物の収容領域が広がり、容器や内容物のボリューム感が増して、見栄えの良いものとなる。
【０００９】
また、本発明の包装用容器では、嵌合構造として嵌合用起立部を設け、該嵌合用起立部は嵌合用起立部外側面と嵌合用起立部内側面の２面の立上り面からなり、該嵌合用起立部外側面に容器内側に窪んだ容器係止部を設け、一方、蓋の外周部の嵌合部に対応する位置には、内垂下部と外垂下部の２面の垂下面からなり、該内垂下部に容器内側に突出する蓋係止部を設けた構造とすることが好ましい。
嵌合用起立部外側面で蓋と勘合させることにより、内容物の収容領域を狭めることなくしかも容器本体と蓋とを確実に一体嵌合することができるので、容器や内容物の見栄えを損なうことがなく、しかも蓋が外れる恐れも少ない包装用容器とすることができる。
【００１０】
さらに本発明の包装用容器では、周側枠の高さは少なくとも容器本体の口縁部の高さと同等もしくは高くするのが好ましい。
また、蓋の外周部最外部の平端部は、周側枠上端面より外側にはみ出ないように構成することが好ましい。
外観の見栄えを良くするとともに、陳列した場合に隣同士が接触しても蓋が外れるのを防ぐためである。
さらに、本発明の包装用容器では、前記蓋の外周部先端を、ジイグザグに形成することが好ましい。また、前記蓋の外周部最外部の平端部に、上下に凹凸を有する波形加工もしくはエンボス加工を施すことが好ましい。蓋の外周部先端をこのように構成することにより、蓋の外周を安全で丈夫な構造にした包装用容器を提供することができる。
【発明の効果】
【００１１】
本発明によれば、容器外側の嵌合部で蓋と嵌合し、しかも嵌合部以外の領域が広がっているので内容物の収容領域が広がり、周側枠が容器本体の立上部よりも高いので、外観の見栄えが良い包装用容器となる。
また、本発明によれば、周側枠が容器の口縁立上部よりも高いので、食品等から蒸発・凝固した水滴が外部に漏れることがない。
また、蓋の外周が周側枠よりも外側に張り出すことがないので、陳列などの取り扱い時に蓋が外れる危険性が無くなる。
さらに、蓋を周側枠に嵌合させる場合に比べ、蓋を嵌合させ易く作業性が良い包装用容器とすることができる。
また、開閉する際に蓋の縁（耳）で指先にケガを負うこともなく、包装フィルムが裂断したり蓋自身が裂断することもない。
【発明を実施するための最良の形態】
【００１２】
以下、図面を使用して本発明を詳細に説明する。なお、以下の各図面は判り易く説明するため縮尺は必ずしも正確には描かれていない。
図１に本発明の包装用容器の一例を平面図で示す。図１に示す本発明の包装用容器１０は四角形を呈しており、内部の容器本体１は内容物を区別する仕切りによって５つの部分に分かれている。包装用容器の外形は四角形に限らず、円形、楕円形あるいは多角形であっても良い。また、内部の仕切りも任意の位置に任意の形状の区画を設けることができる。
包装用容器１０の周囲には四角形の周側枠３が設けられている。図１には４隅の４カ所の嵌合部４を設けた例を示している。嵌合部は包装用容器の形状や大きさに応じて、容器本体の任意の位置に少なくとも２カ所以上設ければ、容器本体と蓋を確実に嵌合させることができる。
容器本体１の嵌合部４には嵌合用起立部１５が設けられており、容器本体１の上記嵌合部４を形成しない部分には、口縁立上部１１が設けられており、口縁立上部１１は嵌合用起立部１５よりも容器外側に配置されている。これら口縁立上部１１と嵌合用起立部１５によって容器本体１が縁取られている。
【００１３】
次に、図２に図１に示す包装用容器１０の正面図を示し、図３に同じく包装用容器１０の正面透視図を示す。これら図２及び図３では蓋２を開蓋した状態を示している。
図２及び図３に示すように、本発明の包装用容器１０は内部に容器本体１を収納した周側枠３と蓋２からなっており、蓋２の大きさは周側枠３の大きさと同じか一回り小さく構成されており、蓋２が周側枠３の外側に張り出さないように構成してある。このように構成することにより、陳列する際に隣同士が接触しても蓋が外れる恐れがない包装用容器とすることができる。
容器本体１の底部は周側枠３の最下部よりも高くして、容器本体１の底を浮かせてある。
【００１４】
容器本体１及び蓋２はプラスチックシートを成形して構成し、プラスチックとしては例えばポリプロピレン（ＰＰ）、ポリエチレンテレフタレート（ＰＥＴ）、あるいはポリスチレン（ＰＳ）等が利用できる。蓋２の嵌合部に相当する位置の外周先端に、開蓋用の指掛けを設けることもできる。
周側枠３は厚さ２〜８ｍｍ程度の発泡プラスチックが好適に利用できる。周側枠３の外側表面には木目や商品名等の装飾を施しても良い。
【００１５】
図４には、図１に示した本発明の包装用容器１０の平面図の嵌合部４近辺を拡大して示した。図４に示すように、本発明の包装用容器は周側枠３の角部に嵌合部４が設けられている。周側枠３の上端面３１には容器本体１の先端平坦部２３が載置されており、先端平坦部２３の容器内側に嵌合部４を構成する嵌合用起立部１５が設けられている。そして先端平坦部２３の嵌合用起立部１５が設けられている部分を除いた部分には、口縁立上部１１が設けられている。口縁立上部１１は、前記嵌合用起立部１５よりも幅（ｗ）だけ容器外側に設けられているので、口縁立上部１１では容器本体の表面積が拡大されることとなり、ボリューム感が増して見栄えが良くなる効果を発揮する。
【００１６】
嵌合用起立部１５の長さ（Ｌ１）は、容器の大きさに応じて２０ｍｍ以上４００ｍｍ以下程度とするのが好ましい。Ｌ１が２０ｍｍ未満では嵌合が不十分で取り扱い時に蓋が外れ易くなるので実用的でない。また、Ｌ１があまり大きすぎると容器本体の内容物を収容する領域を広くする効果が損なわれる。
【００１７】
隣り合う嵌合用起立部１５間の長さ、すなわち口縁立上部１１の長さ（Ｌ２）は、容器の大きさに応じて３０ｍｍから４００ｍｍとするのが好ましい。より望ましくは５０ｍｍから３００ｍｍ程度である。Ｌ２が３０ｍｍより小さいと、容器本体の内容物を収容する領域を広くする効果が損なわれ、４００ｍｍより大きいと蓋が外れ易くなる他、容器本体や蓋に力が加わって変形した場合に内容物が漏出する恐れがある。
【００１８】
次に、容器本体と蓋との嵌合構造を図５及び、図６を使用して説明する。図５は図４の示す線Ａ−Ａ’に沿った、口縁立上部１１を通る断面を示す図である。また、図６は図４の示す線Ｂ−Ｂ’に沿った、嵌合用起立部１５を通る断面を示す図である。図５及び図６においては、蓋２を開蓋した状態と閉蓋した状態を重ねて示している。
【００１９】
図５に示す口縁立上部１１を通る断面では、周側枠３の内側面に設けた枠溝部３２に容器本体１の先端の係止先端部１４を挿入して、容器本体１に入っている食品等の内容物の荷重を支える構造をとっている。
容器本体１は容器内側から平坦な容器フランジ部２０、傾斜した立上部内側面１３、突出した口縁立上部１１、傾斜して垂下した立上部外側面１２及び最先端の係止先端部１４が連なって構成されている。
一方、蓋２は容器内側から内側底部２５，中央段部２４及び先端平坦部２３が図のように階段状に連なって構成されている。そして蓋２を容器本体１にかぶせて閉蓋状態とした時には、前記先端平坦部２３は周側枠３上端の上端面３１に当接して載置され、前記中央段部２４は容器本体１の口縁立上部１１の頂点に当接して載置され、蓋２の自重を支えると同時に容器本体１を密封する。また、蓋２の内側底部２５は、容器本体１の口縁立上部１１よりも容器内側に位置し、かつ口縁立上部１１よりも低い位置まで下げて構成されている。従って、内容物である食品等から蒸発・凝縮した水滴は、蓋２を伝って滴下してきても、口縁立上部１１よりも容器内側に落下して、容器本体１の立上部内側面１３を伝って容器本体内に流れ込むので、包装用容器の外面を濡らすことはない。
【００２０】
図６に示す嵌合用起立部１５を通る断面では、上記と同様に周側枠３の容器内側に設けた枠溝部３２に容器本体１の先端の係止先端部１４を挿入して、容器本体１に入っている食品等の内容物の荷重を支える構造をとっている。
容器本体１は容器内側から平坦な容器フランジ部２０、直立する嵌合起立部内側面１９，平坦な嵌合用起立部頂部２１，２２、嵌合起立部外側面１８，容器内側に窪んだ容器係止部１７，水平な外平坦部１６及び最外部の係止先端部１４が連なって構成されている。  一方、蓋２は容器内側から内側底部２５，下方に垂下する内垂下部２８，容器内側に張り出す蓋系止部２９，平坦な垂下底部２７，上方に立ち上がる外垂下部２６及び周側枠３の上端面３１に載置される平坦な先端平坦部２３が連なって構成されている。そして蓋２を容器本体１にかぶせて閉蓋状態とした時には、蓋２の蓋係止部２９が容器本体１の容器係止部１７に嵌合するとともに、蓋２の先端平坦部２３は周側枠３の上端面３１に当接し、また蓋２の内側底部２５は容器本体１の嵌合用起立部頂部２２に当接して載置されることにより、蓋２の自重を支えると同時に容器本体１を密封する。  
【００２１】
上記例では容器本体１の容器係止部１７の窪みに蓋２の蓋係止部２９の突起をはめ込む構造を説明したが、逆に容器本体１の容器係止部１７を突出させ、蓋２の蓋係止部２９を窪ませて両者を嵌合させる構造としても良い。
【００２２】
次に、本発明の包装用容器の蓋の外周部先端の構造について説明する。
図７は、本発明の包装用容器の蓋の外観斜視図であり、図８は図７の外周部先端Ａを拡大して示す図である。
図７に示すように蓋２の周囲は先端平坦部２３によって取り囲まれている。図８に先端平坦部２３を拡大して示すように、本発明では外周部先端が、外側に突出部分２３ａと内側に切れ込んだ部分２３ｂとによってジグザグに成形してある。このような構造にすることのより、素材の切断面の鋭利さが解消されるので、蓋を開閉する際に指先にケガを負ったり、包装フィルムを使用してラッピングする際に包装フィルムが裂断したりすることはない。
【００２３】
図９は、先端平坦部２３の表面状態の一例を示す図であって、先端平坦部２３の表面を上下に凹凸を有する波形２３ｃに加工してある。また、図１０は先端平坦部２３の表面状態の他の例を示す図であって、先端平坦部２３の表面にエンボス加工２３ｄを施してある。このように、先端平坦部２３の表面に凹凸を形成しておけば強度が増し、蓋自身が裂断することはない。
勿論、前記ジグザグ加工と併用すれば安全でかつ強度の高い蓋とすることができる。
【産業上の利用可能性】
【００２４】
本発明によれば、容器本体の内容物を収納する領域が拡大するのでボリューム感が増し、容器並びに内容物の見栄えが良くなって商品価値が高まる。また、陳列した場合に隣り合う容器が接触しても蓋が外れる恐れが無くなるので容器として重用される点がまことに大である。
【図面の簡単な説明】
【００２５】
【図１】本発明の包装用容器を示す平面図である。
【図２】図１に示す包装用容器の正面図である。
【図３】図２に示す包装用容器の透視図である。
【図４】嵌合部近傍の拡大平面図である。
【図５】図４の線Ａ−Ａ’に沿った断面図である。
【図６】図４の線Ｂ−Ｂ’に沿った断面図である。
【図７】蓋の外観斜視図である。
【図８】図７に示す蓋の外周部先端Ａを拡大して示す図である。
【図９】蓋の外周部表面の一例を示す外観図である。
【図１０】蓋の外周部表面の他の例を示す外観図である。
【図１１】従来の包装用容器の一例を示す断面図である。
【図１２】従来の包装用容器の他の例を示す断面図である。
【符号の説明】
【００２６】
１・・・・容器本体、２・・・・蓋、３・・・・周側枠、４・・・・嵌合部、１０・・・・包装用容器、１１・・・・・口縁立上部、１２・・・・立上部外側面、１３・・・・立上部内側面、１４・・・・係止先端部、１５・・・・嵌合用起立部、１６・・・・外平坦部、１７・・・・容器係止部、１８・・・・嵌合起立部外側面、１９・・・・嵌合起立部内側面、２０・・・・容器フランジ部、２１，２２・・・・嵌合用起立部頂部、２３・・・・先端平坦部、２４・・・・中央段部、２５・・・・内側底部、２６・・・・外垂下部、２７・・・・垂下底部、２８・・・・内垂下部、２９・・・・蓋係止部、３１・・・・上端面、３２・・・・枠溝部
【図１】
2005263283.tif 000003
【図２】
2005263283.tif 000004
【図３】
2005263283.tif 000005
【図４】
2005263283.tif 000006
【図５】
2005263283.tif 000007
【図６】
2005263283.tif 000008
【図７】
2005263283.tif 000009
【図８】
2005263283.tif 000010
【図９】
2005263283.tif 000011
【図１０】
2005263283.tif 000012
【図１１】
2005263283.tif 000013
【図１２】
2005263283.tif 000014